(57)【特許請求の範囲】
【請求項１】
前端部（２Ａ）と後端部（２Ｂ）との間で長手方向（Ｃ）に延在するレザーハンドル（２）であって、
前記後端部（２Ｂ）は、前記前端部（２Ａ）とは反対側にあり、前記レザーハンドル（２）は、細長い本体（４）を備え、
前記細長い本体（４）は、外面（４Ｅ）を有しており、かつ第１のホール（９）が設けられており、前記第１のホール（９）は、前記外面（４Ｅ）において開口しており、
前記レザーハンドル（２）は、第１のインサート（１１）をさらに備えており、前記第１のインサート（１１）は、球体であり、前記第１のホール（９）内に部分的に封入されており、
前記第１のインサート（１１）は、前記前端部（２Ａ）から前記レザーハンドル（２）の長さ（Ｌ）の１５％よりも長い、前記長手方向（Ｃ）に沿って測定された距離（Ｌ１１）に配置された第１のポイント（１１Ａ）を中心とし、前記第１のインサート（１１）は、前記細長い本体（４）の材料の密度とは異なる密度を有する剛性材料から形成されることを特徴とするレザーハンドル（２）。
【請求項２】
前記第１のポイント（１１Ａ）は、前記前端部（２Ａ）から前記レザーハンドル（２）の長さ（Ｌ）の少なくとも２０％の、前記長手方向（Ｃ）に沿って測定された距離（Ｌ１１）に位置することを特徴とする請求項１に記載のレザーハンドル（２）。
【請求項３】
前記第１のインサート（１１）は、前記第１のホール（９）に圧入されるかまたはインサート成形されることを特徴とする請求項１または請求項２に記載のレザーハンドル（２）。
【請求項４】
前記細長い本体（４）は、単一要素であり、かつプラスチックから選択された材料を含むことを特徴とする請求項１から請求項３のいずれか一項に記載のレザーハンドル（２）。
【請求項５】
前記第１のインサート（１１）は、金属、プラスチックおよびゴムの中から選択された材料を含むことを特徴とする請求項１から請求項４のいずれか一項に記載のレザーハンドル（２）。
【請求項６】
前記第１のインサート（１１）は球体であり、前記球体は、前記細長い本体（４）の最大幅（Ｗ１）の４０％〜８０％である、前記長手方向に垂直な方向において測定された直径（Ｄ１１）を有することを特徴とする請求項１から請求項５のいずれか一項に記載のレザーハンドル（２）。
【請求項７】
前記細長い本体（４）は、上面（４Ａ）と下面（４Ｂ）とを有しており、前記下面（４Ｂ）は、前記上面（４Ａ）の反対側にあり、前記第１のホール（９）は、前記上面（４Ａ）において開口している盲穴であることを特徴とする請求項１から請求項６のいずれか一項に記載のレザーハンドル（２）。
【請求項８】
前記盲穴（９）内の前記第１のインサート（１１）が指置き領域を形成することを特徴とする請求項７に記載のレザーハンドル（２）。
【請求項９】
前記細長い本体（４）は、上面（４Ａ）と下面（４Ｂ）とを有しており、前記下面（４Ｂ）は、前記上面（４Ａ）の反対側にあり、前記第１のホール（９）は、前記上面（４Ａ）と前記下面（４Ｂ）との間に延在する貫通孔であることを特徴とする請求項１から６のいずれか一項に記載のレザーハンドル（２）。
【請求項１０】
前記第１のインサート（１１）は、前記貫通孔（９）内で移動不可能であり、かつ移動不可能な前記第１のインサート（１１）は指置き領域を形成することを特徴とする請求項９に記載のレザーハンドル（２）。
【請求項１１】
前記第１のインサート（１１）は、前記第１のホール（９）内で移動可能であることを特徴とする請求項１から請求項９のいずれか一項に記載のレザーハンドル（２）。
【請求項１２】
前記前端部（２Ａ）には、シェービングカートリッジ（３）への接続のための連結手段（５）が設けられていることを特徴とする請求項１から請求項１１のいずれか一項に記載のレザーハンドル（２）。
【請求項１３】
前記前端部（２Ａ）には、ロックおよびロック解除機構（８）がさらに設けられていることを特徴とする請求項１２に記載のレザーハンドル（２）。
【請求項１４】
前記ロックおよびロック解除機構（８）はスライド要素（８Ａ）を備えており、前記スライド要素（８Ａ）は、前記連結手段（５）と協働しかつ前記細長い本体（４）に連結されており、前記スライド要素（８Ａ）は、前記レザーハンドル（２）上を移動可能であることを特徴とする請求項１３に記載のレザーハンドル（２）。
【請求項１５】
前記スライド要素（８Ａ）には、シェービングカートリッジ（３）を前記レザーハンドル（２）から離れる方向に押圧するための指置き領域（８Ｂ）がさらに設けられていることを特徴とする請求項１４に記載のレザーハンドル（２）。
【請求項１６】
前記第１のホール（９）は、前記第１のインサート（１１）を前記第１のホール（９）内に保持するために、前記第１のインサート（１１）の形状と部分的に相補的な形状を有する内側側壁（９Ａ）を有することを特徴とする請求項１から請求項１５のいずれか一項に記載のレザーハンドル（２）。
【請求項１７】
前記第１のホール（９）は、前記細長い本体（４）の内部に備えられる第１の内部空間（９Ｂ）を画定し、前記第１の内部空間（９Ｂ）の形状は、前記第１のインサート（１１）が前記第１のホール（９）内に安定した様式で係合するように、前記第１のインサート（１１）の形状と相補的であることを特徴とする請求項１から請求項１６のいずれか一項に記載のレザーハンドル（２）。
【請求項１８】
前記細長い本体（４）には、前記後端部（２Ｂ）の付近に配置される第２のホール（１０）が設けられており、前記第２のホール（１０）は、前記細長い本体（４）の前記外面（４Ｅ）において開口しており、
前記レザーハンドル（２）は、前記第２のホール（１０）内に部分的に封入される第２のインサート（１２）をさらに備えることを特徴とする請求項１から請求項１７のいずれか一項に記載のレザーハンドル（２）。
【請求項１９】
前記第２のインサート（１２）は球体であり、かつ前記細長い本体（４）の最大幅（Ｗ１）の４０％から８０％の、前記長手方向に垂直な方向に測定された直径（Ｄ１２）を有することを特徴とする請求項１８に記載のレザーハンドル（２）。
【請求項２０】
前記第２のホール（１０）は、前記細長い本体（４）の内側に備えられる第２の内部空間（１０Ｂ）を画定し、
前記第２の内部空間（１０Ｂ）の形状は、前記第２のインサート（１２）が前記第２のホール（１０）内に安定した様式で係合するように、前記第２のインサート（１２）の形状に相補的であることを特徴とする請求項１８または請求項１９に記載のレザーハンドル（２）。
【請求項２１】
前記第２のインサート（１２）は、前記後端部（２Ｂ）から前記レザーハンドル（２）の長さ（Ｌ）の２０％未満の、前記長手方向（Ｃ）に沿って測定した距離（Ｌ１２）に配置された第２のポイント（１２Ａ）を中心とすることを特徴とする請求項１８から請求項２０のいずれか一項に記載のレザーハンドル（２）。
【請求項２２】
前記長手方向（Ｃ）に沿って測定された前記第１のポイント（１１Ａ）と前記第２のポイント（１２Ａ）との間の距離（Ｌ１１−Ｌ１２）は、前記レザーハンドル（２）の長さ（Ｌ）の５０％から７０％であることを特徴とする請求項２１に記載のレザーハンドル（２）。
【請求項２３】
請求項１から請求項２２のいずれか一項に記載のレザーハンドル（２）と、前記レザーハンドルに連結されるシェービングカートリッジ（３）と、を備える剃刀（１）。
【発明の詳細な説明】
【技術分野】
【０００１】
本発明は、レザーハンドル、剃刀、およびレザーハンドルの製造方法に関するものである。
【背景技術】
【０００２】
より詳細には、本発明は、前端部と当該前端部の反対側にある後端部との間で長手方向に延在するレザーハンドルであって、当該レザーハンドルは、細長い本体を備え、細長い本体は外面を有しかつ第１のホールが設けられており、第１のホールは前記外面において開口しており、レザーハンドルは、第１のホール内に部分的に封入された第１のインサートをさらに含む、レザーハンドルに関するものである。
【０００３】
特許文献１には、低い製造コストで製造することができる、コアと当該コアのチャネルに配置されたインサートとを含むレザーハンドルの一例が開示されている。
【０００４】
しかしながら、このインサートはレザーハンドルの大部分に延在しており；したがって当該インサートは、レザーハンドルの重量の良好な分布をもたらさず、その重心の最適な位置を得ることができない。
【先行技術文献】
【特許文献】
【０００５】
【特許文献１】国際公開第２００９／０９８６３２号パンフレット
【発明の概要】
【発明が解決しようとする課題】
【０００６】
本発明の目的の１つは、この欠点を回避することである。他の目的は、本発明に従ってハンドル重量を適切に分配することによってレザーハンドルを改良することである。
【課題を解決するための手段】
【０００７】
これらの目的は、本発明によれば、第１のインサートが、前端部からレザーハンドルの長さの１５％よりも長い長手方向に沿って測定された距離に位置する第１のポイントを中心とするという事実によって解決される。
【０００８】
こうしたインサートのおかげで、レザーハンドルは、レザーハンドルの選択されたポジションに局在する適切な重量を有することができ、使用者の取り扱い性を改良してシェービング性能を向上させる。したがって、このインサートは、ハンドルの形状に関係なく、レザーハンドルが良好なバランスを有することを可能にする。
【０００９】
加えて、インサートは細長い本体内に封入されているため、第１のホールから取り外すことはできない。また、このようなレザーハンドルは、より良好な保持性と、単一部品としてのレザーハンドルの改良された一体性とを有する。
【００１０】
さらに、本発明に基づくレザーハンドルは、インサートの材料を細長い本体の材料とは別にすることによって容易にリサイクルできる。
【００１１】
さらに、そうしたインサートのおかげで、レザーハンドルのプラスチック量を増加させることなく、レザーハンドルの重量を増加させることができる。
【００１２】
そうしたレザーハンドルの有利な実施形態では、以下の特徴のうちの１つおよび／または他の特徴を組み込むことができる：
−  第１のポイントは、前端部からレザーハンドルの長さの少なくとも２０％の、長手方向に沿って測定された距離に位置する；
−  第１のポイントは、前端部からレザーハンドルの長さの少なくとも２５％の、長手方向に沿って測定された距離に位置する；
−  第１のインサートは、前端部から少なくとも３０ｍｍの長手方向に沿って測定された距離に位置する第１のポイントを中心とする；
−  第１のインサートは、第１のホールに圧入されるかまたはインサート成形される；
−  細長い本体は、単一要素であり、かつプラスチックの中から選択された材料を含む；
−  第１のインサートは、細長い本体の材料の密度とは異なる密度を有する剛性材料から形成される；
−  第１のインサートは、金属、プラスチックおよびゴムの中から選択された材料を含む；
−  第１のインサートは、球体であり、長手方向に垂直な方向に測定した場合に細長い本体の最大幅の４０％〜８０％に含まれる直径を有する；
−  第１のインサートは球体であり、１０ｍｍ〜２０ｍｍの間の直径を有する；
−  細長い本体は上面と下面とを有し、下面は上面の反対側にあり、第１のホールは上面に開口する盲穴である；
−  第１の盲穴内の第１のインサートは、指置き領域を形成する；
−  第１のホールは、上面と下面との間に延在する貫通孔である；
−  第１のインサートは第１の貫通孔内を移動できず、移動不可能なタイプの第１のインサートは指置き領域を形成する；
−  第１のインサートは第１のホール内で移動可能である；
−  前端部には、シェービングカートリッジに接続するための連結手段が設けられている；
−  前端部には、ロックおよびロック解除機構がさらに設けられている；
−  ロックおよびロック解除機構は、連結手段と協働するとともに細長い本体に接続されるスライド要素を備え、スライド要素は、レザーハンドル上を移動可能である；
−  スライド要素には、シェービングカートリッジをレザーハンドルから離れるように押すための指置き領域がさらに設けられている；
−  第１のホールは内側側壁を有しており、第１のホールは互いに向かい合う２つの突起をさらに備えており、これら突起は、内側側壁から突出しており、かつ、第１のインサートを第１のホール内に保持するために、第１のインサートの形状に対して部分的に相補的な形状を有する；
−  第１のホールは、細長い本体の内部に備えられる第１の内部空間を画定し、第１の内部空間の形状は、第１のインサートが第１のホール内にぴったりと安定した様式で係合するように、第１のインサートの形状に相補的なものである；
−  細長い本体には、後端部の付近に位置する第２のホールが設けられており、第２のホールは細長い本体の外面において開口しており、レザーハンドルは、第２のホール内に部分的に封入される第２のインサートをさらに含む；
−  第２のインサートは、球体であり、かつ長手方向に垂直な方向に測定した場合に細長い本体の最大幅の４０％〜８０％に含まれる直径を有する；
−  第２のインサートは球体であり、１０ｍｍ〜２０ｍｍの間の直径を有する；
−  第２のホールは、細長い本体の内部に備えられる第２の内部空間を画定し、第２の内部空間の形状は、第２のインサートが第２のホール内にぴったりと安定した様式で嵌合するように、第２のインサートの形状に相補的なものである；
−  第２のインサートは、後端部からレザーハンドルの長さの２０％未満の、長手方向に沿って測定された距離に位置する第２のポイントを中心とする；
−  第２のインサートは、後端部から２０ｍｍ未満の長手方向に沿って測定された距離に位置する第２のポイントを中心とする；
−  長手方向に沿って測定された第１のポイントと第２のポイントとの間の距離は、レザーハンドルの長さの５０％から７０％に含まれる；および、
−  長手方向に沿って測定された第１のポイントと第２のポイントとの間の距離は、７５ｍｍから８５ｍｍの間に含まれる。
【００１３】
本発明はまた、このようなレザーハンドルと、レザーハンドルに接続されたシェービングカートリッジとを含む剃刀に関する。
【００１４】
本発明の上述のおよび他の目的および利点は、添付の図面と併せて考慮される本発明の一実施形態の詳細な説明から明らかとなろう。
【図面の簡単な説明】
【００１５】
【図１】レザーハンドルとシェービングカートリッジとを備える本発明に基づく剃刀の斜視図である。
【図２Ａ】図１のレザーハンドルの平面図である。
【図２Ｂ】図１のレザーハンドルの底面図である。
【図３】図３は、図１のレザーハンドルの側面図である。
【図４】図２Ａに示すＩＶ−ＩＶ線に沿ったレザーハンドルの長手方向断面図である。
【図５】図２Ａに示すレザーハンドルのＶ−Ｖ線に沿った長手方向断面図である。
【図６】図２Ａに示すレザーハンドルのＶＩ−ＶＩ線に沿った長手方向断面図である。
【図７Ａ】シェービングポジションに応じてレザーハンドルを把持する方法を示す、本発明に基づくレザーハンドルおよびその鏡像を示す斜視図である。
【図７Ｂ】シェービングポジションに応じてレザーハンドルを把持する方法を示す、本発明に基づくレザーハンドルおよびその鏡像を示す斜視図である。
【図７Ｃ】シェービングポジションに応じてレザーハンドルを把持する方法を示す、本発明に基づくレザーハンドルおよびその鏡像を示す斜視図である。
【図７Ｄ】シェービングポジションに応じてレザーハンドルを把持する方法を示す、本発明に基づくレザーハンドルおよびその鏡像を示す斜視図である。
【図７Ｅ】シェービングポジションに応じてレザーハンドルを把持する方法を示す、本発明に基づくレザーハンドルおよびその鏡像を示す斜視図である。
【図７Ｆ】シェービングポジションに応じてレザーハンドルを把持する方法を示す、本発明に基づくレザーハンドルおよびその鏡像を示す斜視図である。
【図７Ｇ】シェービングポジションに応じてレザーハンドルを把持する方法を示す、本発明に基づくレザーハンドルおよびその鏡像を示す斜視図である。
【発明を実施するための形態】
【００１６】
様々な図において、同じ参照符号は同一のまたは同様の要素を示す。
【００１７】
図１は、ウェットシェービング用の剃刀１を示す。本発明のシェービング用の剃刀１は、レザーハンドル２とシェービングカートリッジ３とを備えている。シェービングカートリッジ３は、好ましくは、１つ以上のブレード３Ａを備える使い捨てシェービングカートリッジである。シェービングカートリッジ３は、レザーハンドル２に接続することができるか、またはレザーハンドル２から取り外すことができる。
【００１８】
以下の説明ではしばしばレザーハンドル２の異なる手把持ポジションを参照する。さまざまなポジションが図７Ａ〜図７Ｇに示されており、これら図面において丸で囲まれた数字は人間の手の指を次のように示す：（１）親指、（２）人差し指、（３）中指、（４）薬指、（５）小指。図７Ａ、図７Ｂ、図７Ｃ、図７Ｄ、図７Ｅ、図７Ｆおよび図７Ｇの図示されたポジションは、それぞれ第１ポジション、第２ポジション、第３ポジション、第４ポジション、第５ポジション、第６ポジションおよび第７ポジションと呼ばれる。
【００１９】
レザーハンドル２は、側面から見た場合に略湾曲形状を有しており、前端部２Ａと後端部２Ｂとの間において長手方向Ｃに延在しており、後端部２Ｂは前端部２Ａとは反対側に位置する。レザーハンドル２は、レザーハンドル２を把持する手のために細長い本体４をさらに有する。より詳細には、細長い本体４は、後端部２Ｂから前端部２Ａ付近のポジションまで長手方向に延在する。この剃刀はさらに、細長い本体４の延長部分において前端部２Ａに至る連結手段５を備えている。言いかえると、細長い本体４は、後端部２Ｂから連結手段５の先端まで長手方向に延在する。シェービング用の剃刀１は、後端部２Ｂから、連結手段５の端部のうちシェービングカートリッジ３に接続される端部である自由端まで、長手方向に延在する。
【００２０】
図２Ａおよび図２Ｂを参照すると、レザーハンドル２は、中央平面Ｐ１に関して対称であり、長手方向Ｃにおいて長さＬを有することが分かる。長手方向Ｃに沿って測定された場合の細長い本体４の長さＬ４は、レザーハンドル２の長さＬの６０％〜８０％の間に含まれ得る。長手方向Ｃに沿って測定された場合の連結手段５の長さＬ５は、レザーハンドル２の長さＬの２０％〜４０％の間に含まれ得る。例えば、長手方向Ｃにおける長さＬは、１００ｍｍ〜１５０ｍｍ、好ましくは約１２５ｍｍとすることができる。細長い本体４の長さＬ４は８０〜２００ｍｍ、好ましくは９０〜１１０ｍｍとすることができ、連結手段５の長さＬ５は２５〜３５ｍｍとすることができる。
【００２１】
例えば、レザーハンドル２の長さＬは約１２６ｍｍである。連結手段５の長さＬ５は約２９ｍｍである。細長い本体４の長さＬ４は約９５ｍｍである。
【００２２】
レザーハンドル２はまた、その長さＬに沿って変化する高さＨおよび幅Ｗを画定することができる。レザーハンドル２の高さＨは、方向Ｃに沿って変化することができ、好ましくは１５ｍｍ〜２５ｍｍ、好ましくは約２０ｍｍである。
【００２３】
図２Ａおよび図２Ｂのレザーハンドル２の平面図および底面図から明らかなように、レザーハンドル２は、前端部２Ａの付近において第１の拡張部分Ｅｐ１を有しており、第１の拡張部分Ｅｐ１は、レザーハンドル２の一般的な形状に関して最大化された最大幅Ｗ１を有する。細長い本体４はまた、レザーハンドル２の後端部２Ｂの付近に位置する第２の拡張部分Ｅｐ２を含んでおり、第２の拡張部分Ｅｐ２は同様に最大化された幅Ｗ２を有する。これらの拡張部分Ｅｐ１、Ｅｐ２は、シェービング構成の前およびシェービング工程中に、特に図７Ｃに示す第３のポジションにおける、より簡単でより快適な指の位置決めを可能にする。
【００２４】
第１の拡張部分Ｅｐ１は、連結手段５から第２の拡張部分Ｅｐ２まで延在する。第１および第２の拡張部分Ｅｐ１，Ｅｐ２は、長手方向Ｃに沿った長さＬＥｐ１，ＬＥｐ２を有する。長手方向Ｃに沿って測定された第１の拡張部分Ｅｐ１の長さＬＥｐ１は、レザーハンドル２の長さＬの５％〜１５％の間に含まれ得る。長手方向Ｃに沿って測定された第２の拡張部分Ｅｐ２の長さＬＥｐ２は、レザーハンドル２の長さＬの５０％から７０％の間に含まれ得る。例えば、第１拡張部分Ｅｐ１の長さＬＥｐ１は約１３ｍｍとすることができ、第２拡張部分Ｅｐ２の長さＬＥｐ２は約７５ｍｍとすることができる。
【００２５】
連結手段５は、好ましくは、細長い本体４と一体でありかつ２つの可撓性アーム６を備えている。これら２つの可撓性アーム６は、細長い本体４から延在し、かつレザーハンドル２の前端部２Ａの自由端６Ｂに向かって突出する。言いかえると、可撓性アーム６および細長い本体４は一体的なものである。
【００２６】
図１に示されるように、２つのアーム６は、レザーハンドル２の長手方向Ｃから分岐するＶ字形となるように配置されてもよく、アーム６の各々には、その自由端６Ｂにおいて、シェービングカートリッジ３への接続のためのベアリング構造７が設けられる。開示された実施形態では、シェービングカートリッジ３は枢軸回動タイプのものであり、ベアリング構造７は、レザーハンドル２に接続された際のシェービングカートリッジ３の枢軸回動を可能にする。なお、シェービングカートリッジ３は、レザーハンドル２に対して固定されていてもよい。
【００２７】
細長い本体４の前端部２Ａには、好ましくは、ロックおよびロック解除機構８が設けられている。例えば、ロックおよびロック解除機構８は、連結手段５と協働するとともに細長い本体４に接続されるスライド要素８Ａを備えることができ、スライド要素８Ａは、レザーハンドル２上を移動可能である。シェービングカートリッジ３は、細長い本体４に対する簡単な押圧作用によって適所にクリップ留めできる。スライド要素８Ａにはさらに指置き領域８Ｂが設けられる。シェービングカートリッジ３の交換が望まれた場合、使用者は、親指の圧力を用いてレザーハンドル２に設けられた指置き領域８Ｂを押すことができる。スライド要素８Ａは、可撓性アーム６に接続されると、可撓性アーム６を互いに向かう方向に移動させる。スライド要素８Ａはまた、シェービングカートリッジ３に形成された溝８Ｃと協働して、シェービングカートリッジ３を解放する。好都合には、ロックおよびロック解除機構８は、使用時に一方の手でレザーハンドル２を保持しかつ他方の手でシェービングカートリッジ３を保持することによって使用者の親指がシェービングカートリッジ３を所定の位置にクリップ留めできかつシェービングカートリッジ３を取り外すことができる親指の位置に対応する位置に設けられる。
【００２８】
細長い本体４は、外面４Ｅを、より正確には、図２Ａおよび図２Ｂに示されるような上面４Ａおよび下面４Ｂを有しており、下面４Ｂは上面４Ａの反対側にある。細長い本体４はさらに、上面４Ａおよび下面４Ｂの間に備えられる２つの側面４Ｃ，４Ｄを有しており、２つの側面４Ｃ，４Ｄは、互いに対向しておりかつ長手方向Ｃにも延在する。
【００２９】
図２Ａおよび図２Ｂに図示されるように、各側面４Ｃ，４Ｄは、連結手段５の付近を除いて凸状になされている。連結手段５は、後端部２Ｂの付近を除いて、特に第１、第２および第６のポジション（図７Ａ、図７Ｂおよび図７Ｆ）において、手で容易に把持できるように設計された凹部を有する。側面４Ｃ，４Ｄの各々は、特に第４のポジション（図７Ｄ）および第７のポジション（図７Ｇ）において同様に手で容易に把持できるように設計された凹部を有する。
【００３０】
細長い本体４および連結手段５は一体要素を形成できる。細長い本体４および連結手段５は、製造工程の単一ステップ中に所定の材料から成形できる。好ましくは、細長い本体４および連結手段５は同じ材料から成形される。材料は、成形可能な材料であってもよい。好ましくは、材料は、プラスチック、金属合金（例えば金属合金）およびゴムの中から選択される。例えば、細長い本体４および連結手段５は、例えばアクリロニトリルブタジエンスチレン（ＡＢＳ）またはポリプロピレン（ＰＰ）などの熱可塑性材料で成形することができる。
【００３１】
図示されるように、細長い本体４は、第１のホール９を含む。第１のホール９は、レザーハンドル２の第１の拡張部分Ｅｐ１内に位置している。図２Ａ，２Ｂに図示されるように、第１のホール９は、好ましくは、細長い本体４の外面４Ｅのみおいて、とりわけ上面４Ａのみまたは下面４Ｂのみにおいて開口する盲穴である。なお第１のホール９は、細長い本体４の上面４Ａと下面４Ｂとの間に延在する貫通孔であってもよい。あるいは、第１のホール９は、細長い本体４の側面４Ｃ，４Ｄ間に延在する貫通孔であってもよい。
【００３２】
図４に示されるように、第１のホール９は、第１の内部空間９Ｂを画定する内部側壁９Ａを有する。第１の内部空間９Ｂは、細長い本体４の内部に備えられる。より具体的には、第１のホール９の内側側壁９Ａは、図２Ａおよび図２Ｂに示されるように、上側または下側の図から見た場合に円形状を有する。
【００３３】
第１のホールは、長手方向に沿って長さＬ９を有する。長さＬ９は、長手方向Ｃにおいてレザーハンドル２の長さＬの５％〜２０％に含まれてもよい。例えば、第１のホール９の長さＬ９は、１０ｍｍから２０ｍｍ、好ましくは約１５ｍｍとすることができる。また、図２Ｂに示されるように、第１の拡張部分Ｅｐ１は、連結手段５から、レザーハンドル２の中心に向けて配置された第１のホール９の端部まで延在する。第２の拡張部分Ｅｐ２は、第１の拡張部分Ｅｐ１から（剃刀２の中心に向けて配置された第１のホール９の端部から）後端部２Ｂまで延在している。
【００３４】
レザーハンドル２は、第１のホール９の第１の内部空間９Ｂ内にそれぞれ配置される第１のインサート１１をさらに含む。より正確には、第１のインサート１１は、図４および図５に示されるように、第１のホール９内に部分的に封入されている。
【００３５】
第１のインサート１１は、第１のホール９の第１の内部空間９Ｂよりも小さいサイズを有する。また、図２Ａに示されるように、長手方向Ｃにおいて、第１のホール９の長さＬ９は、第１のインサート１１の長手方向の長さよりも大きい。より具体的には、第１のインサート１１が図に示されるような球体である特定の実施形態では、そのような球体は、好ましくは、長手方向Ｃに垂直な方向に測定された場合に細長い本体４の最大幅Ｗ１の４０％から８０％の間の直径Ｄ１１を有する。例えば、直径Ｄ１１は１０ｍｍ〜２０ｍｍ、好ましくは１５ｍｍ未満、より好ましくは約１２ｍｍであり、一方で最大幅Ｗ１は約１６ｍｍである。
【００３６】
本発明によれば、第１のインサート１１は好ましくは、第１のホール９内に保持され、有利には第１のホール９内に固定されており、そのため使用者は第１のインサート１１を第１のホール９から取り外すことができない。
【００３７】
また、細長い本体４は後端部２Ｂの付近に配置される第２のホール１０が設けられてもよい。第２のホール１０は、細長い本体４の外面４Ｅにおいて開口している。このように、細長い本体４は第１のホール９および第２のホール１０を含む。第１および第２のホール９，１０は、レザーハンドル２の第１の拡張部分Ｅｐ１および第２の拡張部分Ｅｐ２にそれぞれ配置されている。
【００３８】
第１および第２のホール９，１０は、細長い本体４の上面４Ａと下面４Ｂとの間に延在する盲穴または貫通孔であってもよい。あるいは、第１および第２のホール９，１０は、２つの側面４Ｃ，４Ｄ間に延在する貫通孔であってもよい。図４に示されるように、第１のホール９は上面４Ａにおいて開口する盲孔であり、かつ第２のホールは上面４Ａと下面４Ｂとの間に延びる貫通孔１０である。第２のホール１０は、図２Ａに示されるように、長手方向Ｃに沿って長さＬ１０を有する。
【００３９】
図４、図５および図６に示されるように、第２のホール１０はまた、上面４Ａと下面４Ｂとの間において細長い本体４の内側に備えられる第２の内部空間１０Ｂを画定する内側側壁１０Ａを有する。
【００４０】
レザーハンドル２は、第２のホール１０の第２の内部空間１０Ｂ内に配置された第２のインサート１２をさらに備える。より正確には、第２のインサート１２は、図１に示されるように、第２のホール１０内に部分的に封入されている。
【００４１】
図５および図６に示されるように、第１および第２の内部空間９Ｂ，１０Ｂの形状は、第１および第２のインサート１１，１２が第１および第２のホール９，１０内にぴったりとした様式で配置されるように、第１および第２のインサート１１，１２の形状に対して相補的なものである。
【００４２】
本発明によれば、第１のインサート１１および／または第２のインサート１２の表面は、以下に詳述するように、直接的にまたは間接的に使用者の指で触れることができる。また、第１のインサート１１および／または第２のインサート１２の各々の表面は、図７Ａ〜図７Ｇのいくつかのポジションにおいて示されるように、細長い本体４の上面４Ａまたは下面４Ｂに指置き領域を形成することができる。好ましくは、第１および第２のインサート１１，１２の表面の７５％未満、好ましくは５０％未満が第１および第２のホール９，１０内に封入される。言いかえると、封入された第１および第２のインサート１１，１２の表面は、細長い本体４の材料で取り囲まれているので、使用者が直接触れることができない。
【００４３】
このようにして、使用者がシェービングを所望した場合、使用者は第１のホール９および／または第２のホール１０の位置に指を置くことができ、好ましくは、封入されていない第１のインサート１１および／または第２のインサート１２の表面に指を置くことができる。第１のインサート１１および／または第２のインサート１２のそうした位置は、第１のポジション（図７Ａ）などの特定のシェービングポジションにおいて向上した把持性および指を置いた際の快適さをもたらし、このとき使用者の人差指はシェービングすべき肌の所定の距離に配置され、より正確でより快適なシェービングが可能となる。
【００４４】
第１のインサート１１は、レザーハンドル２が人差指と親指との間に保持されるとともに親指が上面４Ａにおいて第１のインサート１１上に載置される一方で人差指がレザーハンドル２の下面４Ｂにおいて第１のインサート１１上に置かれるようにポジションなどの、特定のシェービングポジションにおける手による把持性を向上させてもよい。
【００４５】
使用者の親指および人差指はまた第２のインサート１２上に置くことができる。
【００４６】
本発明によれば、第１インサート１１および／または第２インサート１２は、好ましくは、金属、プラスチックおよび／またはゴムの中から選択された材料から形成される。第１のインサート１１および／または第２のインサート１２はまた、ガラスおよび／またはセラミックなどの他の材料から形成できる。特に、第１のインサート１１および／または第２のインサート１２は、好ましくは、細長い本体４の材料の密度と著しく異なる密度を有する剛性材料で作られる。
【００４７】
例えば、第１のインサート１１および／または第２のインサート１２の密度は、細長い本体４の材料の密度よりも大きくてもよい。したがって、第１のインサート１１および／または第２のインサート１２は、ハンドル２の体積を著しく増加させずに、レザーハンドル２の重量を増加させるのに寄与する。結果として、レザーハンドル２は、良好なシェービングを提供するようにかつシェービングカートリッジ３のブレード３Ａとシェービングされる使用者の皮膚との間に良好な接触をもたらすことが確実となるように、十分重くすることができる。好ましくは、第１および第２のインサート１１，１２の各々は、金属のみから形成され、他の材料を含まない。
【００４８】
第１のインサート１１および／または第２のインサート１２のために選択された材料は、使用者が第１および第２のインサート１１，１２上に指を置く際の使用者の感知経験に影響を与えてもよい。一例として、金属製のインサートは、使用者の指にピンポイントな接触を提供し、シェービングによって伝達される振動のすべてを伝えることが可能となる。反対に、熱可塑性プラスチックのようなゴム製のインサートは、シェービングによる振動の大部分を吸収し、そうした振動を使用者の指に伝達することはない。
【００４９】
また、第１および第２のインサート１１，１２の材料が細長い本体４の材料とは異なるため、使用者は、使用者の指がレザーハンドル２の第１のインサート１１および／または第２のインサート１２上にうまく配置されているかどうかを、感触を通じて容易に判断できる。第１および第２のインサート１１，１２の位置を決定することによって、使用者は、指置き領域として機能し得る第１のホール９および／または第２のホール１０のフリースペースに指を置くように誘導されてもよい。レザーハンドル２が２つのインサートを備える場合、第１のインサート１１および第２のインサート１２の両方が必ずしも同じ材料である必要はない。例えば、第１のホール９内に設けられた第１のインサート１１は金属から形成されてもよく、第２のホール１０内に設けられた第２のインサート１２はゴムから形成されてもよく、あるいは第１のホール９内に設けられた第１のインサート１１はゴムから形成されてもよく、第２のホール１０内に設けられた第２のインサート１２は金属から形成されてもよい。
【００５０】
また、第１のインサート１１および／または第２のインサート１２は、いくつかの材料で形成することもできる。特に、第１のインサート１１および／または第２のインサート１２は、滑らかな表面を有する別の材料からなる層で被覆してもよい。一例として、第１のインサート１１および／または第２のインサート１２は、金属製から形成されかつゴムの層で被覆されてもよい。この場合、層は、０．５ｐｍ〜１．６ｐｍ（粗さＲａ）の表面仕上げを有してもよい。
【００５１】
第１のインサート１１および／または第２のインサート１２は、例えば、刻み目パターンまたはくぼみパターンによるクレーターまたは凸凹を伴う一様でない表面を有してもよい。実際に、第１のインサート１１および／または第２のインサート１２の表面のタイプは、使用者が第１および第２のインサート１１，１２上に指を置く際の使用者の触覚的な知覚に影響する。
【００５２】
別の代替例として、第１のインサート１１および／または第２のインサート１２は、その一方の半球がゴムで形成されかつ他方の半球がプラスチックで形成された球体であってもよい。このように異なるタイプの指置き領域を提供することによって、第１および第２のインサート１１，１２は２つの目的を果たすことができる。こうした第１のインサート１１および／または第２のインサート１２に起因して、細長い本体４は、公知のレザーハンドルに使用される材料と比較した場合により軽量でより安価な材料のものとすることができる。材料の軽さにもかかわらず、第１のインサート１１および／または第２のインサート１２のおかげで、レザーハンドル２は依然として質の良い外観および最適な重量を有している。
【００５３】
また、第１のインサート１１および／または第２のインサート１２は球形を有していてもよい。第１のインサート１１および／または第２のインサート１２は、卵形を有していてもよい。より一般的には、これらインサートは、平行六面体形状、立方体形状または円筒形状などの任意の他の形状を有していてもよい。さらに、第１および第２のインサート１１，１２は、同じ形状を有していてもよいが、異なる形状を有していてもよい。同様に、第１および第２のインサート１１，１２は、同じ寸法を有してもよいが、異なる寸法を有してもよい。さらに、第１および第２のインサート１１，１２は、同じ材料を含んでいてもよいし、異なる材料を含んでいてもよい。
【００５４】
好ましくは、第１のインサート１１および／または第２のインサート１２を含むことは、細長い本体４の形状を過度に変形させるものではない。さらに、細長い本体４の形状は、好ましくは、インサートを含まない細長い本体の形状に類似したままである。図面に示されるように、第１のインサート１１および／または第２のインサート１２は、好ましくは単一の球体である。なお、第１および第２のインサート１１，１２の各々は完全な球体でなくてもよく、部分的に湾曲した表面、特に指置き領域として機能する部分球面のみを含んでいてもよい。インサートが図に示されるような球体である特定の実施形態では、そうした球体は、好ましくは、長手方向Ｃに垂直な方向に測定された場合に細長い本体４の最大幅Ｗ１の４０％〜８０％の直径Ｄ１１，Ｄ１２を有する。例えば、それぞれの直径Ｄ１１、Ｄ１２は、１０ｍｍ〜２０ｍｍ、好ましくは１５ｍｍ未満、より好ましくは約１２ｍｍである。
【００５５】
また、第１のインサート１１および／または第２のインサート１２は、第１のホール９および／または第２のホール１０内に圧入されてもよくまたはインサート成形されていてもよい。
【００５６】
第１のインサート１１および／または第２のインサート１２は、好ましくは、第１および第２のホール９，１０内にそれぞれ保持されており、有利には第１および第２のホール９，１０内に固定されており、それゆえ使用者は第１のインサート１１および／または第２のインサート１２を第１および第２のホール９，１０から取り外すことができない。さらに、第１のインサート１１および／または第２のインサート１２は、第１のホール９および第２のホール１０内で、どのような方法でも動作できないようになっている。その結果、第１のインサート１１および／または第２のインサート１２は、それぞれ第１および第２のホール９，１０に対してそれぞれ移動できないようになっている（つまり動かせず、あるいは静止している）。
【００５７】
それゆえ、移動できない第１および第２のインサート１１，１２は、指置き領域を形成する。
【００５８】
第１のインサート１１および／または第２のインサート１２は移動可能であってもよい。第１のインサート１１および／または第２のインサートは、例えば、対応する第１および第２のホール９，１０内でそれら自体の軸線を中心としてスライドする際に、可動の球体であってもよい。また、第１のインサート１１および／または第２のインサート１２が球体である場合、第１のインサート１１および／または第２のインサート１２の回転を容易にするために、第１のインサート１１および／または第２のインサート１２と第１および第２のホール９，１０の内壁９Ａ、１０Ａとの間に隙間を設けることができる。間隙は、第１インサート１１の選択された回転自由度に応じて、０．００５ｐｍ〜０．０２５ｐｍの間に含まれてもよい。より小さな隙間は、第１のインサート１１が簡単に回転するのを防止し、一方で、より大きな隙間は回転を容易にする。第１のインサート１１および／または第２のインサート１２の表面仕上げおよび／または第１のホール９および／または第２のホール１０の表面仕上げは、この可動性を可能にするよう、特に回転を可能にするように適合される。
【００５９】
なお、そうした可動タイプの第１のインサート１１および／または第２のインサート１２に１つの指を配置することができる使用者には、指が第１のインサート１１および／または第２のインサート１２上で常に滑るので、シェービングが困難であると考えるだろう。そのため、シェービングは不正確で不快となることがある。結果的に、第１のインサート１１および／または第２のインサートが対応する第１または第２のホール９，１０に対してそれぞれ移動可能な場合、第１のインサート１１および／または第２のインサートはフィンガーレストエリアを形成することができない。より正確には、第１のインサート１１が移動できる場合、第１のインサート１１は指置き領域とすべきではない。
【００６０】
第１インサート１１は、レザーハンドル２の前端部２Ａに配置されている。好ましくは、第１のインサート１１は、前端部２Ａから長手方向Ｃに沿って測定された距離Ｌ１１に位置する第１のポイント１１Ａを中心とする。好ましくは、長手方向Ｃに沿って測定された距離Ｌ１１は、レザーハンドル２の長さＬの１５％よりも大きい。長手方向Ｃに沿って測定された距離Ｌ１１は、レザーハンドル２の長さＬの２０％よりも大きくてもよい。より好ましくは、長手方向Ｃに沿って測定された距離Ｌ１１は、レザーハンドル２の長さＬの少なくとも２５％である。
【００６１】
さらに、距離Ｌ１１は、長手方向Ｃにおけるレザーハンドル２の長さＬの２５％から４０％の間に含まれてもよい。例えば、距離Ｌ１１は、前端部２Ａから少なくとも３５ｍｍの距離であってもよい。このようにして、レザーハンドル２の重量は、良好なバランスが保証されるように選択される。また、本発明では、第１のインサート１１を正確な位置、例えばレザーハンドル２の長さＬの少なくとも１５％の位置に加えることによって、この重心Ｇの位置をレザーハンドル２の形状に関わりなく、制御することができる。
【００６２】
第２のインサート１２は、後端部２Ｂからレザーハンドル２の長さＬの２０％未満の長手方向に沿って測定された距離Ｌ１２に配置された第２のポイント１２Ａを中心とする。例えば、距離Ｌ１２は、後端部２Ｂから２０ｍｍ未満であってもよい。図示されるように、第１および第２のインサート１１，１２が球体である特定の代替例では、第１のポイント１１Ａおよび第２のポイント１２Ａはそれぞれ第１および第２のインサート１１，１２の中心に対応する。
【００６３】
長手方向Ｃに沿って測定された第１のポイント１１Ａと第２のポイント１２Ａとの間の距離Ｌ１１−Ｌ１２は、好ましくは、レザーハンドル２の長さＬの５０％から７０％に含まれる。例えば、距離Ｌ１１−Ｌ１２は、７５ｍｍから８５ｍｍ、好ましくは約７８ｍｍとしてもよい。なお距離Ｌ１１−Ｌ１２は、第１のインサート１１および／または第２のインサート１２に起因して、細長い本体４の長さＬ４と好ましい重量バランスとに応じて変更されてもよい。
【００６４】
さらに、細長い本体４は、異なる形状を有してもよい。例えば、図１〜図６に示されるように、上面４Ａは滑らかな表面を有することができる。レザーハンドル２の下面４Ｂは、複数のリブ１７を備えてもよい。これらリブ１７は、長手方向Ｃに垂直な平面内でコア部１７Ａから横方向に延在する。また、これらリブ１７は、下面４Ｂの全面を覆っている。また、図２Ｂに示されるように、下面４Ｂは、第２のホール１０の付近において卵形のキャビティ２０を備える。このキャビティ２０は、その中央において突起２０Ａによって部分的に塞がれている。この突起２０Ａは、下面４Ｂの表面まで延在しており、かつ指置き領域として機能してもよい。より正確には、この突起２０Ａは、第４のポジション（図７Ｄ）などの特定のシェービングポジション、あるいはレザーハンドル２が人差指と親指との間に保持され、親指が突起２０Ａ上に置かれる一方で人差指が第２のインサート１２上に置かれ、レザーハンドル２が親指と人差指で留められるポジションにおいて、手による把持性を向上させる。そうしたシェービングポジションは、特に水平方向の頬のシェービングで使用される。突起２０Ａは、第１のポジション（図７Ａ）および第５のポジション（図７Ｅ）などの特定のシェービングポジションにおいて、上面４Ａにおける第１のインサート１１の表面と組み合わせて、指置き領域として使用することも可能である。
【００６５】
細長い本体４の側面４Ｃ，４Ｄは、第１の拡張部分Ｅｐ１の付近に配置された複数の離間されたフィン１９を含む側方把持領域１８をさらに含んでもよい。側方把持領域１８は、特に第１のポジション（図７Ａ）、第２のポジション（図７Ｂ）および第６のポジション（図７Ｆ）におけるレザーハンドル２の指での把持性を向上させる。これらポジションは、正確なシェービングの必要性を満たすために、親指と人差し指が第１のインサート１１の非常に近くに位置するシェービングポジションである。より具体的には、複数のフィン１９は平行であり、それぞれ後方へ向けて傾斜している。そうした傾斜は、特にフィン１９が人差指の軸線に対して略垂直に延在する第１のポジション（図７Ａ）において、レザーハンドル２の人間工学を改善する。また、複数の離間されたフィン１９は、櫛状構造を規定しており、それによって、特定の位置において、より良好な指による把持が提供される。
【００６６】
第１および第２のインサート１１，１２のおかげで、レザーハンドル２は重心Ｇを有しており、その位置は特に選択することができる。好ましくは、図４に示されるように、重心Ｇは、レザーハンドル２の中央部分の近くに配置される。重心Ｇの位置は、第１および第２のインサート１１，１２の形状、密度および／またはポジションなどの様々な要因に左右されてもよい。重心Ｇはまた、レザーハンドル２の一般的な形状に対応するものであってもよい。重心Ｇのこの位置は、レザーハンドルの最適化および改良された人間工学のバランスの最適化を実現可能にする。
【符号の説明】
【００６７】
１    シェービング用の剃刀
２    レザーハンドル
２Ａ  前端部
２Ｂ  後端部
３    シェービングカートリッジ
４    細長い本体
５    連結手段
６    アーム
７    ベアリング構造
８    ロックおよびロック解除機構
９    第１のホール
１０  第２のホール
１１  第１のインサート
１２  第２のインサート
１７  リブ
１８  側方把持領域
１９  フィン
２０  キャビティ
【図１】
0006492164.tif 000002
【図２Ａ】
0006492164.tif 000003
【図２Ｂ】
0006492164.tif 000004
【図３】
0006492164.tif 000005
【図４】
0006492164.tif 000006
【図５】
0006492164.tif 000007
【図６】
0006492164.tif 000008
【図７Ａ】
0006492164.tif 000009
【図７Ｂ】
0006492164.tif 000010
【図７Ｃ】
0006492164.tif 000011
【図７Ｄ】
0006492164.tif 000012
【図７Ｅ】
0006492164.tif 000013
【図７Ｆ】
0006492164.tif 000014
【図７Ｇ】
0006492164.tif 000015